(57)【要約】【課題】同一基地局内におけるセル間のハンドオーバの処理速度を改善することができる移動局および基地局並びにセル選択方法を提供する。【解決手段】移動局が、受信信号に基づいて、基地局内ハンドオーバであるか否かを判断し、移動局が、前記判断結果を示すハンドオーバ要求を基地局に通知し、基地局が、前記ハンドオーバ要求に基づいて、基地局内ハンドオーバであるか基地局間ハンドオーバであるかを判断し、基地局が、前記判断結果に基づいて、基地局内ハンドオーバである場合、基地局内ハンドオーバ用のＣＱＩ受信レベルの閾値に基づいて、基地局内ハンドオーバ処理を行うことにより達成される。【選択図】図３
2007221380.tif 000002
【特許請求の範囲】
【請求項１】
受信信号に基づいて、基地局内ハンドオーバであるか否かを判断する判断手段；
前記判断結果を示す情報を基地局に通知する通知手段；
を備えることを特徴とする移動局。
【請求項２】
請求項１に記載の移動局において：
前記判断手段は、報知チャネルに格納された識別情報に基づいて、基地局内ハンドオーバであるか否かを判断することを特徴とする移動局。
【請求項３】
請求項１に記載の移動局において：
前記判断手段は、セル固有の情報および基地局固有の情報のうちの少なくとも一方に基づいて、基地局内ハンドオーバであるか否かを判断することを特徴とする移動局。
【請求項４】
請求項１ないし３のいずれか１項に記載の移動局において：
前記通知手段は、前記判断結果に応じて、通知手段を変更することを特徴とする移動局。
【請求項５】
請求項１ないし４のいずれか１項に記載の移動局において：
前記通知手段は、前記判断結果に応じて、通知するタイミングを変更することを特徴とする移動局。
【請求項６】
請求項５に記載の移動局において：
前記通知手段は、基地局内ハンドオーバである場合、ハンドオーバ先セルの受信レベルがハンドオーバ元セルの受信レベル以下の領域において通知を開始し、基地局間ハンドオーバである場合、ハンドオーバ先セルの受信レベルがハンドオーバ元セルの受信レベル以上となってから通知することを特徴とする移動局。
【請求項７】
移動局から通知されたハンドオーバ要求に基づいて、基地局内ハンドオーバであるか基地局間ハンドオーバであるかを判断する判断手段；
前記判断結果に基づいて、基地局内ハンドオーバである場合、基地局内ハンドオーバ用の受信レベルの閾値に基づいて、基地局内ハンドオーバ処理を行う基地局内ハンドオーバ処理手段；
を備えることを特徴とする基地局。
【請求項８】
請求項７に記載の基地局において：
セルの識別情報を格納した報知情報を生成する報知情報生成手段；
前記報知情報を送信する送信手段；
を備えることを特徴とする基地局。
【請求項９】
請求項７に記載の基地局において：
セル固有の情報および基地局固有の情報のうち少なくとも一方の情報を生成する固有情報生成手段；
を備えることを特徴とする基地局。
【請求項１０】
請求項９に記載の基地局において：
前記固有情報生成手段は、基地局ごとに固有に割り当てられたスクランブルコードを生成することを特徴とする基地局。
【請求項１１】
移動局が、受信信号に基づいて、基地局内ハンドオーバであるか否かを判断するハンドオーバ判断ステップ；
移動局が、前記判断結果を示すハンドオーバ要求を基地局に通知するハンドオーバ要求通知ステップ；
基地局が、前記ハンドオーバ要求に基づいて、基地局内ハンドオーバであるか基地局間ハンドオーバであるかを判断する基地局間ハンドオーバ判断ステップ；
基地局が、前記判断結果に基づいて、基地局内ハンドオーバである場合、基地局内ハンドオーバ用の受信レベルの閾値に基づいて、基地局内ハンドオーバ処理を行う基地局内ハンドオーバ処理ステップ；
を有することを特徴とするセル選択方法。
【請求項１２】
請求項１１に記載のセル選択方法において：
前記情報判断ステップは、報知チャネルに格納された識別情報に基づいて、基地局内ハンドオーバであるか否かを判断することを特徴とするセル選択方法。
【請求項１３】
請求項１１に記載のセル選択方法において：
前記情報判断ステップは、セル固有の情報および基地局固有の情報のうちの少なくとも一方に基づいて、基地局内ハンドオーバであるか否かを判断することを特徴とするセル選択方法。
【請求項１４】
請求項１１ないし１３のいずれか１項に記載のセル選択方法において：
基地局がセルの識別情報を格納した報知情報を生成する報知情報生成ステップ；
基地局が前記報知情報を送信する報知情報送信ステップ；
を有することを特徴とするセル選択方法。
【請求項１５】
請求項１３に記載のセル選択方法において：
基地局がセル固有の情報および基地局固有の情報のうち少なくとも一方の情報を生成する固有情報生成ステップ；
を有することを特徴とするセル選択方法。
【請求項１６】
請求項１５に記載のセル選択方法において：
前記固有情報生成ステップは、基地局ごとに固有に割り当てられたスクランブルコードを生成することを特徴とするセル選択方法。
【発明の詳細な説明】
【技術分野】
【０００１】
本発明は、移動局および基地局並びにセル選択方法に関する。
【背景技術】
【０００２】
従来の移動通信システム、例えばＩＭＴ−２０００では、移動局はセル間を跨って移動するときは、その移動先のセルが、同一基地局配下のセルであるか、異なる基地局配下のセルであるかを区別することなく、他セルの受信レベルを測定し、接続セルに受信レベルの報告を行うことでハンドオーバを行う。
【０００３】
例えば、このような移動通信システムでは、図１に示すように、ＲＮＣ（Ｒａｄｉｏ  Ｎｅｔｗｏｒｋ  Ｃｏｎｔｒｏｌｌｅｒ）にハンドオーバ機能が搭載されている。したがって、移動局がセル＃１からセル＃２に移動する場合には、ハンドオーバを行うか否かの判断は全てＲＮＣにおいて行われる。
【０００４】
このように従来の方式においては、同一基地局配下のセル、異なる基地局配下のセルを区別することなくハンドオーバ処理が行われる。すなわち、セル選択方法が単一であり、同一基地局内で簡易でかつ高速に実現が可能なハンドオーバ処理も上位局、すなわちＲＮＣで行われる。
【発明の開示】
【発明が解決しようとする課題】
【０００５】
しかしながら、上述した背景技術には全てのハンドオーバ処理が上位局、すなわちＲＮＣで行われるために、ハンドオーバ処理により生じる遅延が増加するという問題がある。
【０００６】
そこで、３ＧＰＰのＬｏｎｇ  ｔｅｒｍ  ｅｖｏｌｕｔｉｏｎ（ＬＴＥ）ではハンドオーバの判定を行う機能を基地局に備えるようにし、高速化を実現する方法が検討されている。
【０００７】
上記方法においては、ハンドオーバが行われる場合、その移動先のセルが同一基地局内のセルか否かの判定は基地局内の上位レイヤ、具体的には無線リソース制御（ＲＲＣ：  Ｒａｄｉｏ  Ｒｅｓｏｕｒｃｅ  Ｃｏｎｔｒｏｌ）で行われる。この場合、同一基地局内に閉じた高度の制御、例えば高速セル（セクタ）選択などを行う際に上位レイヤ（ＲＲＣ）と下位レイヤ（ＭＡＣ（Ｍｅｄｉａ  Ａｃｃｅｓｓ  Ｃｏｎｔｒｏｌ））との間での制御等が必要であり、既存の方式よりも遅延は低減できるが、レイヤ間での制御により遅延が生じる、瞬時のセル切り替えの対応が難しいなどの問題がある。
【０００８】
そこで、本発明では、同一基地局内におけるセル間のハンドオーバの処理速度を改善することができる移動局および基地局並びにセル選択方法を提供することを目的とする。
【課題を解決するための手段】
【０００９】
上記課題を解決するため、本発明の移動局は、受信信号に基づいて、基地局内ハンドオーバであるか否かを判断する判断手段と、前記判断結果を示す情報を基地局に通知する通知手段とを備えることを特徴の１つとする。
【００１０】
このように構成することにより、基地局内ハンドオーバであることを基地局に通知することができる。
【００１１】
また、本発明の基地局は、移動局から通知されたハンドオーバ要求に基づいて、基地局内ハンドオーバであるか基地局間ハンドオーバであるかを判断する判断手段と、前記判断結果に基づいて、基地局内ハンドオーバである場合、基地局内ハンドオーバ用の受信レベルの閾値に基づいて、基地局内ハンドオーバ処理を行う基地局内ハンドオーバ処理手段とを備えることを特徴の１つとする。
【００１２】
このように構成することにより、基地局は、移動局から通知された基地局内ハンドオーバであることを示す情報に基づいて、基地局内ハンドオーバ用の受信レベルの閾値に基づいて、基地局内ハンドオーバ処理を行うことができる。
【００１３】
また、本発明にかかるセル選択方法は、移動局が、受信信号に基づいて、基地局内ハンドオーバであるか否かを判断する情報判断ステップと、移動局が、前記判断結果を示すハンドオーバ要求を基地局に通知するハンドオーバ要求通知ステップと、基地局が、前記ハンドオーバ要求に基づいて、基地局内ハンドオーバであるか基地局間ハンドオーバであるかを判断する基地局間ハンドオーバ判断ステップと、基地局が、前記判断結果に基づいて、基地局内ハンドオーバである場合、基地局内ハンドオーバ用の受信レベルの閾値に基づいて、基地局内ハンドオーバ処理を行う基地局内ハンドオーバ処理ステップとを有することを特徴の１つとする。
【００１４】
このようにすることにより、移動局は、基地局内ハンドオーバであることを基地局に通知することができ、基地局は、移動局から通知された基地局内ハンドオーバであることを示す情報に基づいて、基地局内ハンドオーバ用の受信レベルの閾値に基づいて、基地局内ハンドオーバ処理を行うことができる。
【発明の効果】
【００１５】
本発明の実施例によれば、同一基地局内におけるセル間のハンドオーバの処理速度を改善することができる移動局および基地局並びにセル選択方法を実現できる。
【発明を実施するための最良の形態】
【００１６】
次に、本発明の実施例について図面を参照して説明する。
なお、実施例を説明するための全図において、同一機能を有するものは同一符号を用い、繰り返しの説明は省略する。
【００１７】
本発明の実施例にかかる無線通信システムについて、図２を参照して説明する。
【００１８】
本実施例にかかる無線通信システムは、上位局１００と、上位局１００と接続された基地局２００（２００１、２００２、２００３）と、基地局２００と無線通信が可能である移動局３００とを備える。
【００１９】
また、光張り出し局２５０を備えるようにしてもよい。光張り出し局２５０とは、変調部分とＲＦ部分のみを所定の基地局と光ファイバで接続し、設置したものである。このようにすることにより、基地局の展開が容易となり、また基地局の構成を簡単化できる。
【００２０】
上位局１００は、移動局３００がハンドオーバを行う場合における所定の制御を行う。例えば、上位局１００は、基地局間でハンドオーバを行う場合における所定の制御を行う。
【００２１】
次に、本発明の実施例にかかる基地局２００について、図３を参照して説明する。
【００２２】
本実施例にかかる基地局２００は、送受信部２０２と、送受信部２０２と接続された報知情報生成部２０４および判断部２０６と、判断部２０６と接続された基地局内ハンドオーバ（ＨＯ）処理部２０８および基地局間ハンドオーバ（ＨＯ）処理部２１０とを備える。
【００２３】
送受信部２０２は、報知情報生成部２０４により生成された報知情報２０４を送信する。また、移動局３００から送信されたハンドオーバ要求を判断部２０６に入力する。
【００２４】
判断部２０６は、送受信部２０２により入力されたハンドオーバ要求に基づいて、基地局内ハンドオーバ処理であるか基地局間ハンドオーバ処理であるかを判断する。判断部２０６は、ハンドオーバ要求のフォーマットにより、基地局内ハンドオーバ処理であるか基地局間ハンドオーバ処理であるかを判断する。
【００２５】
具体的には、判断部２０６は、受信レベルを報告する信号フォーマットの違いにより、その判断を基地局内ハンドオーバであれば低レイヤ、例えばＭＡＣ、基地局間ハンドオーバは上位レイヤ、例えばＲＲＣで行う。このようにすることにより、更なる遅延の低減も可能である。
【００２６】
また、例えば、判断部２０６は、ハンドオーバ元セルに対応する受信レベルを通知する。例えばＣＱＩレポートおよびハンドオーバ先に対応する受信レベルを通知する。ここで、ＣＱＩ（Ｃｈａｎｎｅｌ  Ｑｕａｌｉｔｙ  Ｉｎｄｉｃａｔｏｒ）とは、チャネル状態を示す識別子である。例えば、判断部２０６は、ＣＱＩレポートが入力された場合、基地局内ハンドオーバであると判断するようにしてもよい。また、判断部２０６は、ハンドオーバ元セルに対応するＣＱＩレポートおよび測定レポートが入力された場合、基地局間ハンドオーバであると判断するようにしてもよい。
【００２７】
ここで、ＣＱＩレポートおよび測定レポートは、ともに、受信レベルを測定して報告するものである。ＣＱＩレポートはレイヤの低いところででき、具体的にはＭＡＣで行われる。測定レポートは上位レイヤで測定したものをＲＲＣのレイヤで送信が行われる。
【００２８】
ここで、基地局内ハンドオーバとは同一基地局内におけるセル間のハンドオーバを示し、基地局間ハンドオーバとは異なる基地局間におけるセル間のハンドオーバを示す。
【００２９】
また、判断部２０６は、基地局内ハンドオーバ処理であると判断した場合、基地局内ハンドオーバ処理部２０８に対して後述する基地局内ハンドオーバ処理を実行するように命令する。また、判断部２０６は、基地局間ハンドオーバ処理であると判断した場合、基地局間ハンドオーバ処理部２０８に対して後述する基地局間ハンドオーバ処理を実行するように命令する。
【００３０】
基地局内ハンドオーバ処理部２０８は、判断部２０６の命令に応じて、基地局内ハンドオーバ処理を実行する。例えば、基地局内ハンドオーバ処理部２０８は、ハンドオーバ先の受信レベルとハンドオーバ元の受信レベルとの差を示す受信レベルの閾値を設定し、該閾値に基づいて、基地局内ハンドオーバ処理を行う。例えば、基地局内ハンドオーバ処理部２０８は、基地局内ハンドオーバ用の受信レベルの閾値を、基地局間ハンドオーバ処理を行う場合の受信レベルの閾値より小さな値に設定する。
【００３１】
また、基地局内ハンドオーバ処理部２０８は、閾値を所定値に設定し、ハンドオーバ先セルの受信レベルがハンドオーバ元セルの受信レベル以下の領域から、ハンドオーバ処理を行う。より具体的に説明するとハンドオーバ先セルの受信レベルとハンドオーバ元セルの受信レベル差が閾値であるＸｄＢ（Ｘ≦０）を上回った時点でハンドオーバ要求を行う。
【００３２】
基地局間ハンドオーバ処理部２１０は、判断部２０６の命令に応じて、基地局間ハンドオーバ処理を実行する。例えば、基地局間ハンドオーバ処理部２１０、ハンドオーバ先の受信レベルとハンドオーバ元の受信レベルとの差を示す受信レベルの閾値に基づいて、基地局間ハンドオーバ処理を行う。例えば、基地局間ハンドオーバ処理部２１０は、基地局間ハンドオーバ用の受信レベルの閾値を、基地局内ハンドオーバ処理を行う場合の受信レベルの閾値より大きな値に設定する。
【００３３】
また、基地局間ハンドオーバ処理部２１０は、閾値を所定値に設定し、ハンドオーバ先セルの受信レベルがハンドオーバ元セルの受信レベル以上となった場合に、ハンドオーバ処理を行う。より具体的に説明するとハンドオーバ先セルの受信レベルとハンドオーバ元セルの受信レベル差が閾値であるＸｄＢ（０≦Ｘ）を上回った時点でハンドオーバ要求を行う。
【００３４】
次に、本実施例にかかる移動局３００について、図４を参照して説明する。
【００３５】
本実施例にかかる移動局３００は、送受信部３０２と、送受信部３０２と接続された受信レベル測定部３０４および判断部３０６と、判断部３０６と接続された基地局内ハンドオーバ処理部３０８および基地局間ハンドオーバ処理部３１０とを備える。受信レベル測定部３０４は判断部３０６と接続される。
【００３６】
送受信部３０２は、基地局２００から送信された信号を受信し、受信レベル測定部３０４に入力する。また、送受信部３０２は、受信レベル測定部３０４により測定された受信レベルを基地局２００に通知する。例えば、送受信部３０２は、受信レベルを基地局２００に通知する。例えば、送受信部３０２は、受信レベルをＣＱＩレポートとして、基地局２００に送信する。また、送受信部３０２は、基地局２００から送信された報知チャネルを受信し、判断部３０６に入力する。また、送受信部３０２は、後述する判断部３０６により入力されたハンドオーバ要求を基地局２００に送信する。
【００３７】
判断部３０６は、報知情報に基づいて、自移動局の移動により、基地局内でのハンドオーバが必要であるのか基地局間でハンドオーバが必要であるのかを判断する。例えば、判断部３０６は、報知情報に格納された基地局内のハンドオーバであるか否かを示す情報に基づいて。基地局内のハンドオーバである場合には受信レベル測定部３０４に対し、ハンドオーバ元となるセルの受信レベルとハンドオーバ先となるセルの受信レベルを測定するように命令する。また、この場合、判断部３０６は、基地局内ハンドオーバ処理部３０８に対して、基地局内ハンドオーバ処理を行うように命令する。
【００３８】
また、例えば、判断部３０６は、報知情報に格納された基地局内のハンドオーバであるか否かを示す情報に基づいて、基地局間のハンドオーバである場合には受信レベル測定部３０４に対し、ハンドオーバ元となるセルの受信レベルとハンドオーバ先となるセルの受信レベルを測定するように命令する。また、この場合、判断部３０６は、基地局間ハンドオーバ処理部３１０に対して、基地局内ハンドオーバ処理を行うように命令する。
【００３９】
また、判断部３０４は、同一基地局内におけるセル間で共通のスクランブルコードが使用されている場合、このスクランブルコードに乗算されている直交コードで区別するようにしてもよい。移動局３００は、直交コードは認識することができる。この直交コードにより移動局は同一基地局内におけるセル間のハンドオーバであるか否かを判断することができる。
【００４０】
基地局内ハンドオーバ処理部３０８は、ハンドオーバ先の受信レベルとハンドオーバ元の受信レベルとの差を示す受信レベルの閾値を設定し、該閾値に基づいて、基地局内ハンドオーバ処理を行う。例えば、基地局内ハンドオーバ処理部３０８は、基地局内ハンドオーバ用の受信レベルの閾値を、基地局間ハンドオーバ処理を行う場合の受信レベルの閾値より小さな値に設定する。
【００４１】
また、基地局内ハンドオーバ処理部３０８は、閾値を所定値に設定し、ハンドオーバ先セルの受信レベルがハンドオーバ元セルの受信レベル以下の領域から、ハンドオーバ要求を基地局２００に通知する。より具体的に説明するとハンドオーバ先セルの受信レベルとハンドオーバ元セルの受信レベル差が閾値であるＸｄＢ（０≦Ｘ）を上回った時点でハンドオーバ要求を基地局２００に通知する。
【００４２】
基地局間ハンドオーバ処理部３１０は、判断部３０６の命令に応じて、基地局間ハンドオーバ処理を実行する。例えば、基地局間ハンドオーバ処理部３１０は、ハンドオーバ先の受信レベルとハンドオーバ元の受信レベルとの差を示す受信レベルの閾値に基づいて、基地局間ハンドオーバ処理を行う。例えば、基地局間ハンドオーバ処理部３１０は、基地局間ハンドオーバ用の受信レベルの閾値を、基地局内ハンドオーバ処理を行う場合の受信レベルの閾値より大きな値に設定する。
【００４３】
また、基地局間ハンドオーバ処理部３１０は、閾値を所定値に設定し、ハンドオーバ先セルの受信レベルがハンドオーバ元セルの受信レベル以上となった場合に、ハンドオーバ要求を基地局２００に通知する。より具体的に説明するとハンドオーバ先セルの受信レベルとハンドオーバ元セルの受信レベル差が閾値であるＸｄＢ（０≦Ｘ）を上回った時点でハンドオーバ要求を基地局２００に通知する。
【００４４】
次に、本実施例にかかる移動局１００の動作について、図５を参照して説明する。
【００４５】
判断部３０６は、基地局からの受信信号に基づいて、基地局内ハンドオーバであるか否かを判断する（ステップＳ５０２）。
【００４６】
基地局内ハンドオーバであると判断した場合（ステップＳ５０２：ＹＥＳ）、基地局内ハンドオーバ処理部３０８は、上述したように基地局内ハンドオーバ用の閾値を設定し、基地局内ハンドオーバ処理を行う（ステップＳ５０４）。
【００４７】
例えば、基地局内ハンドオーバ処理部３０８は、図６に示すように、ハンドオーバ先セルの受信レベルが、ハンドオーバ元セル、すなわち在圏セルにおける受信レベル以下である場合にハンドオーバ要求を送信する。
【００４８】
一方、基地局間ハンドオーバであると判断した場合（ステップＳ５０２：ＮＯ）、基地局間ハンドオーバ処理部３１０は、上述したように基地局間ハンドオーバ用の閾値を設定し、基地局間ハンドオーバ処理を行う（ステップＳ５０６）。
【００４９】
例えば、基地局間ハンドオーバ処理部３１０は、図６に示すように、ハンドオーバ先セルの受信レベルが、ハンドオーバ元セル、すなわち在圏セルにおける受信レベル以上、例えば在圏セルにおける受信レベルに所定のマージンを加算した値以上となった場合にハンドオーバ要求を送信する。
【００５０】
同一基地局内でハンドオーバ処理が行われる場合、その処理は在圏基地局で閉じて行われるので、その切り替えが頻繁に行われても問題はない。したがって、基地局内ハンドオーバ処理部３０８は基地局間ハンドオーバ用の閾値を、基地局間ハンドオーバ処理を行う場合の受信レベルの閾値より小さな値、例えば零またはマイナスの値に設定し、該閾値に基づいてハンドオーバ要求を送信する。
【００５１】
一方、異なる基地局間でハンドオーバ処理が行われる場合、受信レベルの変動により、その切り替えが頻繁に生じると、ピンポン現象が生じるため好ましくない。したがって、基地局間ハンドオーバ処理部３１０は、基地局間ハンドオーバ用の受信レベルの閾値を、基地局内ハンドオーバ処理を行う場合の受信レベルの閾値より大きな値、例えば所定のマージンを含む値に設定する。
【００５２】
次に、本実施例にかかる移動通信システムにおける基地局内ハンドオーバ処理について、図７を参照して説明する。
【００５３】
ここでは、移動局３００がセル１からセル２に移動する場合について説明する。
【００５４】
移動局３００は、地点（ａ）で、同一基地局内のハンドオーバであると判断した場合、受信レベル測定部３０４において、セル１の受信レベルを測定し、その結果を基地局２００に送信する。例えば、受信レベル測定部３０４は、受信レベルを、ＣＱＩレポートとして基地局２００に送信する（ステップＳ７０２）。
【００５５】
次に、移動局３００は、地点（ｂ）で、受信レベル測定部３０４において、セル２の受信レベルを測定し、その結果を基地局２００に送信する。例えば、受信レベル測定部３０４は、受信レベルを、ＣＱＩレポートとして基地局２００に送信する（ステップＳ７０４）。
【００５６】
次に、基地局２００は、基地局内ハンドオーバ処理部３０８において、セル２に対するＣ−ＲＮＴＩ（ｃｅｌｌ  ｓｐｅｃｉｆｉｃ  ｒａｄｉｏ  ｎｅｔｗｏｒｋ  ｔｅｍｐｏｒａｒｙ  ｉｄｅｎｔｉｆｉｅｒ）を割り当てる（ステップＳ７０６）。ＲＮＴＩとは、ユーザを識別するためのテンポラリな識別子であり、Ｃ−ＲＮＴＩはセル固有のテンポラリなユーザ識別子である。このＣ−ＲＮＴＩをＭＡＣで割り当てることにより、さらなる遅延の低減を図ることができる。したがって、以下ではＭＡＣでＣ−ＲＮＴＩを割り当てた場合について説明する。
【００５７】
ここで、ＲＲＣに対して、セル１からセル２にセルの変更が行われたことを通知するようにしてもよい。
【００５８】
次に、移動局３００は、地点（ｂ）で受信レベル測定部３０４において、セル１の受信レベルを測定し、その結果を基地局２００に送信する。例えば、受信レベル測定部３０４は、受信レベルを、ＣＱＩレポートとして基地局２００に送信する（ステップＳ７０８）。
【００５９】
次に、移動局３００は、地点（ｂ）で、ＣＱＩ測定部３０４において、セル２のＣＱＩを測定し、その結果を基地局２００に送信する。例えば、受信レベル測定部３０４は、受信レベルを、ＣＱＩレポートとして基地局２００に送信する（ステップＳ７１０）。
【００６０】
次に、基地局２００は、基地局内ハンドオーバ処理部３０８において、セル１に対するＣ−ＲＮＴ１を開放する（ステップＳ７１２）。
【００６１】
次に、移動局３００は、地点（ｂ）で、受信レベル測定部３０４において、セル２の受信レベルを測定し、その結果を基地局２００に送信する。例えば、受信レベル測定部３０４は、受信レベルを、ＣＱＩレポートとして基地局２００に送信する（ステップＳ７１４）。
【００６２】
次に、本実施例にかかる移動通信システムにおける基地局間ハンドオーバ処理について、図８を参照して説明する。
【００６３】
ここでは、移動局３００がセル２からセル３に移動する場合について説明する。
【００６４】
移動局３００は、地点（ａ）で、異なる基地局間のハンドオーバであると判断した場合、受信レベル測定部３０４において、セル２の受信レベルを測定し、その結果を基地局２００に送信する。例えば、受信レベル測定部３０４は、受信レベルを、ＣＱＩレポートとして基地局２００に送信する（ステップＳ８０２）。
【００６５】
次に、移動局３００は、地点（ｂ）で、基地局間ハンドオーバ処理部３１０において、測定レポートを、ハンドオーバ元基地局に送信する（ステップＳ８０４）。
【００６６】
次に、ハンドオーバ元基地局は、基地局間ハンドオーバ処理部３１０において、セル３をカバーするハンドオーバ先基地局に対して、Ｃ−ＲＮＴＩの割り当てを要求する（ステップＳ８０６）。
【００６７】
次に、ハンドオーバ先基地局は、基地局間ハンドオーバ処理部３１０において、Ｃ−ＲＮＴＩの割り当てを行う（ステップＳ８０８、ステップＳ８１０）。例えば、基地局間ハンドオーバ処理部３１０では以下の処理が行われる。ＲＲＣは、ＭＡＣに対して、Ｃ−ＲＮＴＩの割り当てを要求する。ＭＡＣは、ＲＲＣからのＣ−ＲＮＴＩの割り当て要求に応じてＣ−ＲＮＴＩの割り当てを行う。
【００６８】
次に、ハンドオーバ先基地局は、基地局間ハンドオーバ処理部２１０において、新しいユーザ識別子、例えばＵＴＲＡＮ内でユーザを識別するための識別子を示すＵ−ＲＮＴＩ（ＵＴＲＡＮ  Ｒａｄｉｏ  Ｎｅｔｗｏｒｋ  ｔｅｍｐｏｒａｒｙ  ｉｄｅｎｔｉｆｉｅｒ）とＣ−ＲＮＴＩをハンドオーバ元基地局に通知する（ステップＳ８１２）。
【００６９】
次に、ハンドオーバ元基地局は、基地局間ハンドオーバ処理部２１０において、セル３への物理チャネルを移動局３００に通知する（ステップＳ８１４）。具体的には、新たに割り当てられたＵ−ＲＮＴＩとＣ−ＲＮＴＩを通知する。
【００７０】
次に、移動局３００は、新たに割り当てられたＣ−ＲＮＴＩを使用して、セル３に対して初期リソース要求を行う（ステップＳ８１６）。
【産業上の利用可能性】
【００７１】
本発明にかかる移動局および基地局並びにセル選択方法は、無線通信システムに適用できる。
【図面の簡単な説明】
【００７２】
【図１】無線通信システムを示す説明図である。
【図２】本発明の一実施例にかかる無線通信システムを示す説明図である。
【図３】本発明の一実施例にかかる基地局を示すブロック図である。
【図４】本発明の一実施例にかかる移動局を示すブロック図である。
【図５】本発明の一実施例にかかる移動局の動作を示すフロー図である。
【図６】本発明の一実施例にかかるセル選択方法を示す説明図である。
【図７】本発明の一実施例にかかる同一基地局内ハンドオーバ処理を示すフロー図である。
【図８】本発明の一実施例にかかる異なる基地局間ハンドオーバを示すフロー図である。
【符号の説明】
【００７３】
１００  上位局
２００、２００１、２００２、２００３  基地局
３００  移動局
【図１】
2007221380.tif 000003
【図２】
2007221380.tif 000004
【図３】
2007221380.tif 000005
【図４】
2007221380.tif 000006
【図５】
2007221380.tif 000007
【図６】
2007221380.tif 000008
【図７】
2007221380.tif 000009
【図８】
2007221380.tif 000010